(57)【特許請求の範囲】
【請求項１】
蓋体１８は頂部１９に蓋体１８の内部を透視可能な透明部２３を設け、該蓋体１８の内部に電気的に接続された発光ダイオード３１と、集積回路３２と、振動センサー３３とを配し、蓋体１８と係脱可能なケース１３の内部に電池３７を収容し、振動センサー３３は電池３７と接触可能な接点３６を有し、蓋体１８とケース１３とを係合して引手本体７に設けた収容部１０に収容し、蓋体１８の頂部１９は引手本体７の収容部１０から露呈して、発光ダイオード３１の発光が透明部２３を通じて可視可能に形成してなることを特徴とするスライドファスナー用スライダーの引手。
【請求項２】
蓋体１８の内部に上下に間隔を空けて上面板２８と下面板２９とを対向して配し、上面板２８に発光ダイオード３１を固定し、下面板２９は、上面板２８との対向面側に集積回路３２と振動センサー３３とを固定し、電池３７との対向面側に振動センサー３３と連結された接点３６を配置してなる請求項１記載のスライドファスナー用スライダーの引手。
【請求項３】
引手本体７の表面側に収容部１０を凹設し、該収容部１０にケース１３を抜脱不能に係止し、ケース１３は電池３７を収容する凹状の底部１４を有し、蓋体１８を引手本体７の収容部１０から抜脱可能に形成してなる請求項１記載のスライドファスナー用スライダーの引手。
【請求項４】
蓋体１８は外周面に係合部２１を設けた筒部２０を有し、ケース１３は蓋体１８の筒部２０が挿入可能な筒部１５を有し、該筒部１５の内周面に蓋体１８の係合部２１と係合可能な係合部１６を設けてなる請求項１記載のスライドファスナー用スライダーの引手。
【請求項５】
蓋体１８の筒部２０の基部２４に、筒部２０の周囲に沿って連続するリング状のパッキング２６を装着し、蓋体１８とケース１３とが係合したときに、パッキング２６が蓋体１８とケース１３および収容部１０の縁部１１とに圧接してなる請求項４記載のスライドファスナー用スライダーの引手。
【発明の詳細な説明】
【技術分野】
【０００１】
この発明は、スライドファスナーにおけるスライダーに取り付けた引手に発光装置を内装し、引手が振動することにより引手を発光させることができるスライドファスナー用スライダーの引手に関するものである。
【背景技術】
【０００２】
従来、スライドファスナーのスライダーにおける引手において、発光盤上に集積回路を接続して複数個の発光ダイオードを配し、この発光盤に連結した電池槽に収容した電池をスイッチの作動によって集積回路と接続した発光ダイオードを発光させることができる発光盤をスライドファスナーのスライダーにおける引手に収容して発光させることができる引手が図４に示すように知られている。
【特許文献１】台湾Ｍ２７１４４３号専利公報
【発明の開示】
【発明が解決しようとする課題】
【０００３】
前項で述べた図４に示すスライドファスナーのスライダーにおける発光盤を取り付けた引手は、集積回路、発光ダイオード、スイッチを配した発光盤に対し、蓋を螺合して電池を内装する電池槽をこの発光盤に連結しているため、電池を交換するのに引手本体から発光盤自体を取り外して電池を交換しなければならないので、電池の交換が大変面倒である。また発光ダイオードを発光させるためには、スイッチをいちいち操作しなければならないので、発光操作がきわめて面倒であるなど、問題点がある。
【０００４】
この発明は、上述の問題点を考慮して発明されたものであり、この発明のうち請求項１記載の発明は、スライダーの引手が蓋体とケースとこれを収容できる収容部を設けた引手本体とから形成し、頂部に透明部を有する蓋体の内部に発光ダイオード（ＬＥＤ）、振動センサー、集積回路（ＩＣ）を装着し、ケースの内部に電池を固定し、蓋体とケースとを係合し、発光ダイオードの発光は内装した振動センサーによって振動を感知して集積回路を作動させ自動的に発光させることができるスライドファスナー用スライダーの引手を提供することが主たる目的である。
【０００５】
請求項２，３，４および５記載の発明は、それぞれ請求項１記載の発明の目的に加え、蓋体に発光ダイオード、集積回路、振動センサーとを簡易に配備でき、蓋体とケースとを効率よく嵌脱できるように形成し、蓋体をそのままにして電池の交換が容易にでき、また蓋体とケースとの間にパッキングを容易に装着して水密性を確保するとともに、引手を簡易にスライダーに取り付けることができるスライドファスナー用スライダーの引手を提供することが目的である。
【課題を解決するための手段】
【０００６】
前記の目的を達成するため、この発明のうち請求項１記載の発明は、スライダー１の引手６が引手本体７と蓋体１８およびケース１３から形成され、蓋体１８は頂部１９に蓋体１８の内部を透視できる透明部２３を設け、この蓋体１８の内部に電気的に接続された発光ダイオード（ＬＥＤ）３１と、集積回路（ＩＣ）３２と、振動センサー３３とを配し、蓋体１８と係脱できるケース１３の内部に電池３７を収容し、振動センサー３３は電池３７と接触できる接点３６を設け、蓋体１８とケース１３とを係合して引手本体７に設けた収容部１０に収容し、蓋体１８の頂部１９は引手本体７の収容部１０から露呈して、発光ダイオード３１の発光が透明部２３を通じて可視できるように形成したスライドファスナー用スライダーの引手を主な構成とするものである。
【０００７】
請求項２記載の発明は、請求項１記載の発明の構成に加え、蓋体１８の内部に上下に間隔を空けて上面板２８と下面板２９とを対向状に設け、上面板２８の下面に発光ダイオード３１を固定し、下面板２９の上面すなわち上面板２８との対向面側に集積回路３２と振動センサー３３とを固定し、電池３７との対向面側に振動センサー３３と連結された揺動できる接点３６を配置したスライドファスナー用スライダーの引手である。
【０００８】
請求項３記載の発明は、請求項１記載の発明の構成に加え、引手本体７には表面側に凹状の収容部１０を設け、この収容部１０にケース１３を抜脱できないように係止し、ケース１３は電池３７を収容することができる凹状の底部１４を形成し、蓋体１８は引手本体７の収容部１０から抜脱できるように形成したスライドファスナー用スライダーの引手である。
【０００９】
請求項４記載の発明は、請求項１記載の発明の構成に加え、蓋体１８は外周面に係合部２１を設けた筒部２０から形成し、ケース１３は蓋体１８の筒部２０が挿入できる筒部１５から形成し、この筒部１５の内周面に蓋体１８の係合部２１と係合できる係合部１６を設けたスライドファスナー用スライダーの引手である。
【００１０】
請求項５記載の発明は、請求項１記載の発明の構成に加え、蓋体１８における筒部２０の基部２４に、筒部２０の周囲に沿って配される連続するリング状のパッキング２６を装着し、蓋体１８とケース１３とが係合したとき、パッキング２６が蓋体１８とケース１３および収容部１０の縁部１１とに圧接することができるように形成したスライドファスナー用スライダーの引手である。
【発明の効果】
【００１１】
この出願の発明の効果として、請求項１記載の発明は、蓋体は頂部に蓋体の内部を透視可能な透明部を設け、該蓋体の内部に電気的に接続された発光ダイオードと、集積回路と、振動センサーとを配し、蓋体と係脱可能なケースの内部に電池を収容し、振動センサーは電池と接触可能な接点を有し、蓋体とケースとを係合して引手本体に設けた収容部に収容し、蓋体の頂部は引手本体の収容部から露呈して、発光ダイオードの発光が透明部を通じて可視可能に形成したことによって、蓋体の内部に発光ダイオードと、集積回路と、振動センサーらの部材が配されているので、蓋体とケースとの係合を解除し、蓋体を引手本体から取り外すことで、上記部材らを蓋体と一緒に引手本体から取り外すことができ、ケース内に収容された電池の交換作業に手間がかからず、容易に行うことができる。
【００１２】
蓋体の内部に発光ダイオードと、集積回路と、振動センサーらの部材が配されているので、上記各部材らは、電池交換時に引手本体の収容部内から取り出されても、蓋体によって他の物品との衝突することから保護され、破損することがない。
【００１３】
蓋体の内部に発光手段となる発光ダイオードと、集積回路と、振動センサーらの部材が配され、これら部材が蓋体により周囲を被覆されていても、蓋体に設けた透明部を通じて蓋体内部での発光を可視することができる効果がある。
【００１４】
請求項２記載の発明は、請求項１記載の発明の効果に加え、蓋体の内部に上下に間隔を空けて上面板と下面板とを対向して配し、上面板に発光ダイオードを固定し、下面板は、上面板との対向面側に集積回路と振動センサーとを固定し、電池との対向面側に振動センサーと連結された接点を配置したことによって、蓋体の内部に発光ダイオードと、集積回路と、振動センサーおよび振動センサーに接続された接点が蓋体において安定して固定され、透明部からの発光ダイオードの発光の可視と、接点が電池へ接触することを確実に行うことができる効果がある。
【００１５】
請求項３記載の発明は、請求項１記載の発明の効果に加え、引手本体の表面側に収容部を凹設し、該収容部にケースを抜脱不能に係止し、ケースは電池を収容する凹状の底部を有し、蓋体を引手本体の収容部から抜脱可能に形成したことによって、ケースが引手本体に固定されているので、蓋体をケースとの係合から解除し、蓋体を引手本体から取り外したときに、ケースは引手本体に残り、ケースの凹部から電池が露呈するので、電池の交換を容易に行うことができる効果がある。
【００１６】
請求項４記載の発明は、請求項１記載の発明の効果に加え、蓋体は外周面に係合部を設けた筒部を有し、ケースは蓋体の筒部が挿入可能な筒部を有し、該筒部の内周面に蓋体の係合部と係合可能な係合部を設けたことによって、蓋体とケースとの係合および係合解除が容易に行える。また、蓋体とケースとの係合姿勢が安定し、係合状態において、接点と電池との接触が確実に行われるように、蓋体を安定して保持することができる効果がある。
【００１７】
請求項５記載の発明は、請求項１記載の発明の効果に加え、蓋体の筒部の基部に、筒部の周囲に沿って連続するリング状のパッキングを装着し、蓋体とケースとが係合したときに、パッキングが蓋体とケースおよび収容部の縁部とに圧接したことによって、引手を装着した物品が洗濯される場合、引手本体から蓋体とケースを取り外さなくても、蓋体とケースとの内部に水が浸入することを確実に防止することができる効果があるなど、この発明が奏する効果はきわめて顕著である。
【発明を実施するための最良の形態】
【００１８】
この発明のスライドファスナー用スライダーの引手は、図１〜３に示したとおり、一端側にスライダー１の胴体３の取付部４に取り付けるための取付環８を設け、他端側に指で摘んで操作ができる引手本体７を設ける。引手本体７は表面が開口する収容部１０を凹設し、この収容部１０にケース１３またはケース１３に蓋体１８を係合して収容する。ケース１３および蓋体１８は共に金属製であり、蓋体１８は頂部１９と、この頂部１９と一体に成形して円筒状の筒部２０を形成し、頂部１９に透明な透明部２３を配設し、透明部２３を通じて蓋体１８の内部、すなわち筒部２０の内部を透視することができるようにする。筒部２０の外周面におねじを螺刻した係合部２１を形成し、ケース１３の係合部１６と係合する。頂部１９の外周面を凹凸状の粗面に形成し、蓋体１８を指で摘んで操作するときの操作部分とする。この粗面とおねじの係合部２１との間に筒部２０の基部２４を配設し、基部２４の外周面を平坦な平坦面２５に形成し、この平坦面２５上にリング状のパッキング２６を装着できるように形成する。
【００１９】
蓋体１８の内部には頂部１９に面した部分に上面板２８を挿入し、筒部２０の下端には下面板２９を挿入して固定する。上面板２８と下面板２９は上下方向に間隔を空けて平行に配設し、上面板２８と下面板２９との間の空間に発光ダイオード３１、集積回路３２、振動センサー３３を収容する収容空間を作製する。上方の上面板２８の下面中央に発光ダイオード３１を固定し、下方の下面板２９の上面、すなわち上面板２８の下面と対向する面に集積回路３２と振動センサー３３を固定する。集積回路３２と振動センサー３３とをコード３４などで結線するとともに、集積回路３２と発行ダイオード３１とをコードで結線し、各々に電流が流れるように電気的に接続する。また振動センサー３３の下面に振動または揺動できる振動線３５を連結して下面板２９の外側へ現出させ、この振動線３５の先端に接点３６を設ける。
【００２０】
ケース１３は凹状の底部１４を有し、底部１４から上方へ向けて円筒状の筒部１５を形成し、この筒部１５は蓋体１８の筒部２０よりも大径に形成し、その内周面にめねじを螺刻して係合部１６を形成し、蓋体１８の係合部２１と係合できるように形成する。ケース１３の底部１４には扁平状の電池３７を内在させ、蓋体１８と係合したとき、上方から現出している振動によって振動する振動線３５の接点３６と接触できるように形成する。またケース１３は引手本体７の表面側に凹設した収容部１０に収容され、収容部１０から抜脱不可能に係止できるように形成する。
【００２１】
引手本体７に係止したケース１３に対し、蓋体１８を上方から螺合させ、収容部１０の内周面の縁部１１と、ケース１３の筒部１５の上端と、蓋体１８の筒部２０の基部２４に形成した平坦面２５とでパッキング２６を圧接挟持して蓋体１８とケース１３とが係合した内部の水密性を保持する。ケース１３の底部１４に配した電池３７を交換したいときは、蓋体１８の粗面を把持して回転させることによって、ケース１３から離脱させ、電池３７をケース１３から取り出して交換する。
【００２２】
振動センサー３３は、振動を感知して電気信号に変換するセンサーであり、検出した振動を電荷として出力するタイプと、電圧として出力するタイプとがある。この発明で実施する振動センサー３３は、振動を検出して電圧を出力するタイプであり、これにより電池３７が振動センサー３３に電流を供給し、振動センサー３３と電気的に接続した集積回路３２および発光ダイオード３１に電流が流れ、集積回路３２は記憶したプログラムに基づき発光ダイオード３１を発光させる。
【００２３】
蓋体１８とケース１３が係合した状態においては、電池３７と振動センサー３３の接点３６とは通常は離間しており、引手６に振動が加わると電池３７が振動センサー３３の接点３６に接触し、このとき電池３７から振動センサー３３に供給電流が供給され、この電流が振動センサー３３内のコンデンサに蓄電される。電池３７と接点３６が再び離間しても、蓄電された電流が集積回路３２と発光ダイオード３１に流れて、発光ダイオード３１を発光させる。
【００２４】
引手の使用形態は、蓋体１８とケース１３とを螺合して引手本体７の収容部１０に収容した引手６をスライダー１の胴体３に設けた取付部４に対し、引手６の取付環８を取り付けて衣服等に用いてジョギングなどを行うと、引手６が振動して振動センサー３３の下面に配した振動線３５の接点３６が電池３７に接触し、その結果集積回路３２によって発光ダイオード３１を点滅し、この点滅を蓋体１８の透明部２３を通じて外側から可視することができる。また衣服を洗濯しても蓋体１８とケース１３の間にパッキング２６を配しているので、筒部１５，２０内への水の浸入を防ぐことができる。
【実施例１】
【００２５】
図１〜３に示す実施例１のスライドファスナー用スライダーの引手は、前項で説明したとおりであり、スライダー１の引手６は引手本体７，蓋体１８，ケース１３から形成し、蓋体１８およびケース１３は共に金属製で各々が係合したときに通電可能に形成する。引手本体７は図１に示すように一方側にスライダー１の胴体３に設けた取付部４に取り付けるための取付環８を熱可塑性樹脂によって、引手本体７と一体成形で設け、引手本体７の他方側にケース１３を収容することができる平面円形の凹窩状の収容部１０を成形し、この収容部１０は引手本体７の表面側に開口している。蓋体１８は円板状の頂部１９と、この頂部１９の下面に一体成形された円筒状の筒部２０から形成し、頂部１９が筒部２０の天井となっている。
【００２６】
蓋体１８には熱可塑性樹脂によって成形した透明板を金属製の蓋体１８の頂部１９に配設して透明部２３を形成し、頂部１９から筒部２０の内部を透明部２３を通じて可視できるようにする。透明部２３は蓋体１８の頂部１９を上下方向に貫通する貫通孔を設け、この貫通孔へ透明板を嵌め込んで形成し、透明板は貫通孔の内周面に接着剤によって接着する。または、貫通孔の開口を塞ぐように、蓋体１８の頂部１９にエポキシ樹脂を添着して透明部２３を形成してもよい。また筒部２０の外周面におねじを螺刻して係合部２１を形成し、頂部１９の外周面を指で摘んだときの滑り止め用に凹凸状の粗面に形成し、蓋体１８の回動操作を容易に行えるように形成する。この粗面とおねじの係合部２１の上縁との間に、図２に示すように平坦な平坦面２５を形成し、この平坦面２５に環状のパッキング２６を装着できるように形成する。なお引手本体７を金属製にしてもよい。
【００２７】
蓋体１８の内部は図２に示すように、筒部２０の内部において、筒部２０の上端すなわち頂部１９に面した部分に透明な熱可塑性樹脂から成形された上面板２８を挿入し、筒部２０の下端には熱可塑性樹脂から成形された下面板２９を挿入して接着剤等で固定する。上方の上面板２８の下面中央に発光ダイオード３１を接着剤で接着固定し、下方の下面板２９は金属製でその上面に集積回路３２と振動センサー３３とを接着剤で固定するとともに、集積回路３２と振動センサー３３とをコード等で接続し、集積回路３２と発光ダイオード３１とをコード３４で結線する。発光ダイオード３１はその発光が蓋体１８の外部から可視できるように、蓋体１８の頂部１９に設けた透明部２３と対向する位置において、上面板２８に固定されている。振動センサー３３の下面の下面板２９に透孔を穿設して振動によって振動する振動線３５を連結して下面板２９の透孔を通じて外側へ現出させ、または下面板２９の側面を切欠して振動線３５を下面へ現出させてもよく、この振動線３５の先端に接点３６を配設する。なお上面板２８，下面板２９を金属板から形成し、発光ダイオード３１，集積回路３２，振動センサー３３を接着剤で固定する他、ハンダ付けで固定してもよい。
【００２８】
ケース１３は図２に示すように、凹状の底部１４と、底部１４の上端に一体成形された円筒状の筒部１５から形成し、この筒部１５の内周面にめねじを螺刻して係合部１６を形成し、蓋体１８の筒部２０がケース１３の筒部１５内へ挿入されたとき、筒部２０の外周面に設けた係合部２１と係合できるように形成する。ケース１３の底部１４には扁平状の電池３７を配置できるように形成し、蓋体１８を螺合したとき、下面板２９の下側に現出している振動線３５の接点３６と接触できるように形成する。また蓋体１８とケース１３との係合を解除し、蓋体１８を引手本体７の収容部１０から抜脱させた際、電池３７を底部１４から筒部１５を通して取り出すことができる。このケース１３は引手本体７の一側に設けた凹窩状の収容部１０に収容して接着剤等で引手本体７とケース１３とを固定する。また両者の固定は接着剤でなくとも他の固定手段によって固定してもよい。
【００２９】
引手本体７の収容部１０に収容し固定されたケース１３に電池３７を配置し、上方から蓋体１８を螺合させ、収容部１０の縁部１１とケース１３に設けた係合部１６の上側とで、蓋体１８の筒部２０の平坦面２５に配したパッキング２６を圧接挟持して、蓋体１８とケース１３とが係合した内部への水の浸入を防ぎ水密性を保持する。ケース１３の底部１４に配した電池３７を交換したいときは、蓋体１８の粗面を把持して回転させることによって、ケース１３から蓋体１８を離脱させることができ、容易に電池３７を交換することができる。
【００３０】
この発明の発光動作を示せば、スライダー１の引手６に振動を与えることによって、振動センサー３３の接点３６が電池３７に接触し、その結果電流が電池３７→接点３６→振動センサー３３→集積回路３２と流れ、集積回路３２がＯＮとなり、振動センサー３３の接点３６が電池３７から離れるとＯＦＦとなる。他方金属製の蓋体１８およびケース１３に電流が流れる結果、集積回路３２がＯＮとなると集積回路３２から発光ダイオード３１へ電流が流れ発光ダイオード３１が発光し透明部２３を通じて発光が可視できる。
【００３１】
集積回路３２がＯＮになることにより、発光ダイオード３１を約０．５秒間隔で点滅を８回繰り返すようにセットされ、その後自動的に消燈する。従って引手６に振動を連続的に与えることによって、引手６を継続して発光させることができる。なお発光ダイオード３１の点滅を所望の回数にセットするには、集積回路３２のプログラムを変更することにより所望の回数に変更することができる。
【産業上の利用可能性】
【００３２】
この発明のスライドファスナー用スライダーの引手は、ジャンパーなどの衣服のスライダーに用い、振動を与えることによって発光するので、特に夜間のジョギング等において使用するのに適している。
【図面の簡単な説明】
【００３３】
【図１】実施例に基づくスライドファスナー用スライダーの引手の正面図である。
【図２】同上スライダーの引手における蓋体とケースとを分離した状態を示す断面図である。
【図３】同上スライダーの引手における蓋体とケースとを係合した状態を示す断面図である。
【図４】公知の発光装置を備えたスライダーの引手の分解斜視図である。
【符号の説明】
【００３４】
１      スライダー
６      引手
７      引手本体
８      取付環
１０    収容部
１３    ケース
１５    筒部（ケース）
１６    係合部（ケース）
１８    蓋体
１９    頂部
２０    筒部（蓋部）
２１    係合部（蓋部）
２３    透明部
２４    基部
２５    平坦面
２６    パッキング
２８    上面板
２９    下面板
３１    発光ダイオード
３２    集積回路
３３    振動センサー
３５    振動線
３６    接点
３７    電池
【図１】
0004540068.tif 000002
【図２】
0004540068.tif 000003
【図３】
0004540068.tif 000004
【図４】
0004540068.tif 000005